(57)【特許請求の範囲】
【請求項１】
電力量計本体、該電力量計本体の下方に配置されると共にネジ穴を備えた直方体形状の端子台、矩形板状に形成されると共に該端子台の前面を覆い、且つ挿通穴を備えた端子台カバー、及び前記挿通穴に挿通されて前記挿通穴を介して前記ネジ穴に螺着される雄ネジ部を有した締結ネジを備えた電力量計の前記端子台に対して前記端子台カバーを着脱するための端子台カバー取付治具であって、
前記端子台カバーの底部を支持する底部支持部、前記端子台カバーの幅方向両側部を夫々支持する側方支持部、前記端子台カバーの後部を支持する後方支持部、及び端子台の幅方向両外側面に夫々添設される位置決定部を備え、前記底部支持部、前記側方支持部、及び前記後方支持部により前記端子台カバーを所定位置に支持し、且つ前記位置決定部により前記電力量計に対して位置決めされる端子台カバー支持部と、
前記底部支持部に対して立設されたベース板に貫通形成され、前記端子台カバーが前記端子台カバー支持部によって前記所定位置に支持された時に前記挿通穴と幅方向位置及び高さ位置が整合した整合位置関係とされ、且つ前記締結ネジの全体を通過させ得る内径を備えたガイド部と、
を備え、
前記端子台カバー支持部が前記電力量計に対して位置決めされることにより前記ネジ穴に対する前記ガイド部、及び前記挿通穴の位置関係を一直線状にすることを特徴とする端子台カバー取付治具。
【請求項２】
前記電力量計本体は、使用電力量を表示するメーターを収容する矩形環状の枠体を備え、
前記ベース板の最上部に設けられ、前記端子台カバー支持部が前記電力量計に対して位置決めされた時に前記枠体の下面に吸着して仮固定される仮固定部材を備えていることを特徴とする請求項１に記載の端子台カバー取付治具。
【請求項３】
前記端子台カバー支持部は、前記端子台カバーを吸着、支持する吸着支持部材を、前記底部支持部、及び前記後方支持部に備えていることを特徴とする請求項１又は２に記載の端子台カバー取付治具。
【請求項４】
前記端子台カバー支持部は、幅方向長、及び前記挿通穴の形成位置が異なる複数種類の端子台カバーに合わせて前記端子台カバーの受け容れ幅を調整する調整手段を備え、
前記ベース板には、複数の前記ガイド部が、各種類の端子台カバーが前記所定位置に支持された時に各挿通穴と幅方向位置及び高さ位置が整合する整合位置関係となるように形成されていることを特徴とする請求項１乃至３の何れか一項に記載の端子台カバー取付治具。
【請求項５】
前記ガイド部を照明する照明部材を備えたことを特徴とする請求項１乃至４の何れか一項に記載の端子台カバー取付治具。
【発明の詳細な説明】
【技術分野】
【０００１】
本発明は、電力量計本体の下方に配置された端子台のカバーを着脱する際に使用する治具に関し、特に、カバーの取り付け、及び取り外しの際に、カバーを端子台に締結するネジと端子との接触による短絡を防止する端子台カバー取付治具に関する。
【背景技術】
【０００２】
電力会社から供給される電力を使用する需要家の敷地内には、電力の取引のために、電力の使用量を測定する電力量計が設置されている。
電力量計は、使用電力量を測定及び表示するメーターを有した電力量計本体と、電力量計本体の下方に配置されて、電源側電線と負荷側電線とを夫々電気的・機械的に接続する複数の端子を備えた端子台と、端子台の前面を覆う端子台カバーとを備え、電源側と負荷側との間に配置される。
電力会社は需要家との取引の状態に基づいて、端子台上で電線の接続状態を変更することにより、需要家に対する電力の供給停止や再供給（再接続）の施工を行う。上記施工を実施するためには、電力量計から端子台カバーを着脱する作業が必要となる。
【０００３】
端子台カバーは、端子台に形成されたネジ穴に螺着される締結ネジにより端子台に固定される。締結ネジは導体であり、誤って端子と接触させてしまうと短絡が発生する等、危険である。
隣接する端子間の短絡を防止する発明として特許文献１には、電力量計に対する電線の接続・切断作業を行う際に使用する治具が記載されている。この治具は、端子台の正面に設置される正面板を備えており、正面板には端子台の各端子に対応する位置に開口が貫通形成されている。治具の正面板を端子台の正面に設置することにより、各端子とドライバ等との接触が開口を介しての接触に限定される。開口を介在させた状態では隣接する端子間に跨がってドライバ等を接触させることはできないので、端子間の短絡を効果的に防止することができる。
【先行技術文献】
【特許文献】
【０００４】
【特許文献１】特開２０１１−２２７４公報
【発明の概要】
【発明が解決しようとする課題】
【０００５】
しかし、特許文献１に記載の治具は、電線の電気的な接続・切断用に用いられるものであり、正面板を端子台の正面に配置した状態では端子台カバーを取り付けることはできない。
本発明は上述の事情に鑑みてなされたものであり、カバーの着脱時にカバーを端子台に締結するネジと端子との接触を防止し、短絡を防止することができる治具を提供することを目的とする。
【課題を解決するための手段】
【０００６】
上記の課題を解決するために、請求項１に記載の発明は、電力量計本体、該電力量計本体の下方に配置されると共にネジ穴を備えた直方体形状の端子台、矩形板状に形成されると共に該端子台の前面を覆い、且つ挿通穴を備えた端子台カバー、及び前記挿通穴に挿通されて前記挿通穴を介して前記ネジ穴に螺着される雄ネジ部を有した締結ネジを備えた電力量計の前記端子台に対して前記端子台カバーを着脱するための端子台カバー取付治具であって、前記端子台カバーの底部を支持する底部支持部、前記端子台カバーの幅方向両側部を夫々支持する側方支持部、前記端子台カバーの後部を支持する後方支持部、及び端子台の幅方向両外側面に夫々添設される位置決定部を備え、前記底部支持部、前記側方支持部、及び前記後方支持部により前記端子台カバーを所定位置に支持し、且つ前記位置決定部により前記電力量計に対して位置決めされる端子台カバー支持部と、前記底部支持部に対して立設されたベース板に貫通形成され、前記端子台カバーが前記端子台カバー支持部によって前記所定位置に支持された時に前記挿通穴と幅方向位置及び高さ位置が整合した整合位置関係とされ、且つ前記締結ネジの全体を通過させ得る内径を備えたガイド部と、
を備え、前記端子台カバー支持部が前記電力量計に対して位置決めされることにより前記ネジ穴に対する前記ガイド部、及び前記挿通穴の位置関係を一直線状にすることを特徴とする。
【０００７】
請求項２に記載の発明は、前記電力量計本体は、使用電力量を表示するメーターを収容する矩形環状の枠体を備え、前記ベース板の最上部に設けられ、前記端子台カバー支持部が前記電力量計に対して位置決めされた時に前記枠体の下面に吸着して仮固定される仮固定部材を備えていることを特徴とする。
請求項３に記載の発明は、前記端子台カバー支持部は、前記端子台カバーを吸着、支持する吸着支持部材を、前記底部支持部、及び前記後方支持部に備えていることを特徴とする。
請求項４に記載の発明は、前記端子台カバー支持部は、幅方向長、及び前記挿通穴の形成位置が異なる複数種類の端子台カバーに合わせて前記端子台カバーの受け容れ幅を調整する調整手段を備え、前記ベース板には、複数の前記ガイド部が、各種類の端子台カバーが前記所定位置に支持された時に各挿通穴と幅方向位置及び高さ位置が整合する整合位置関係となるように形成されていることを特徴とする。
請求項５に記載の発明は、前記ガイド部を照明する照明部材を備えたことを特徴とする。
【発明の効果】
【０００８】
本発明においては、端子台のネジ穴に対して、締結ネジの全体を通過させるガイド部と、端子台カバーの挿通穴とを一直線状に位置決めする。締結ネジの締結時又は締結解除時には、ガイド部と挿通穴とによって締結ネジの少なくとも軸方向の２点を支持するので、締結ネジの姿勢を維持したまま直線的に進退させることができる。従って、締結ネジと端子との接触を防止し、短絡を効果的に防止することができる。
【図面の簡単な説明】
【０００９】
【図１】単相二線式の電力量計を示す図であり、（ａ）は正面図であり、（ｂ）は側面図である。
【図２】単相二線式の電力量計の端子台、締結ネジ、及び端子台カバーの分解斜視図である。
【図３】単相三線式の電力量計の端子台、締結ネジ、及び端子台カバーの分解斜視図である。
【図４】端子台カバー取付治具を示す斜視図であり、（ａ）は前方から観察した図であり、（ｂ）は後方から観察した図である。
【図５】（ａ）は調整部材を示す斜視図であり、（ｂ）は調整部材の使用状態を示す斜視図である。
【図６】（ａ）、（ｂ）は、端子台カバーを支持した端子台カバー取付治具を示す斜視図である。
【図７】端子台カバー、端子台カバー取付治具、及び電力量計の各部の位置関係を示す背面図である。
【図８】調整部材の収納状態を示す図である。
【図９】ライトの斜視図である。
【図１０】端子台カバー支持部における端子台カバーの受け容れ幅を調整する調整手段の変形例を示す斜視図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
以下、本発明の実施形態を詳細に説明する。
〔電力量計〕
図１は、単相二線式の電力量計を示す図であり、（ａ）は正面図であり、（ｂ）は側面図である。図２は、単相二線式の電力量計の端子台、締結ネジ、及び端子台カバーの分解斜視図である。図３は、単相三線式の電力量計の端子台、締結ネジ、及び端子台カバーの分解斜視図である。
【００１２】
電力量計２００（２００Ａ、２００Ｂ）は、電源側と負荷装置との間に挿入され、需要家が使用した電力量を計量する装置である。
電力量計２００は、使用電力量を測定及び表示するメーター２０２を備えた電力量計本体２０１、電力量計本体２０１の下方に配置されると共にネジ穴２２３を備えた端子台２２０（２２０Ａ、２２０Ｂ）、端子台２２０の前面を覆うと共に挿通穴２３１を備えた端子台カバー２３０（２３０Ａ、２３０Ｂ）、及び挿通穴２３１に挿通されて挿通穴２３１を介してネジ穴２２３に螺着される雄ネジ部２４１ａを有した締結ネジ２４０を備えている。
【００１３】
電力量計本体２０１は、メーター２０２を支持する電力量計ベース２０３、メーター２０２を覆う概略直方体形状のガラスカバー２０５（透明カバー）、及びガラスカバー２０５を電力量計ベース２０３に固定する固定枠２０７を備える。
ガラスカバー２０５は、メーター２０２を保護すると共に、メーター２０２が示す数値を外部から読み取り可能にする。ガラスカバー２０５は、電力量計ベース２０３側の一面が開口した概略直方体形状であり、内部にメーター２０２を収容する。固定枠２０７は正面視概略矩形、環状であり、鉄等の磁性材料から構成されている。固定枠２０７は、ガラスカバー２０５の外周部（端縁部）を包囲した状態にて電力量計ベース２０３に対してネジ止め固定されることにより、ガラスカバー２０５を電力量計ベース２０３に一体化させる。
【００１４】
端子台２２０は、概略直方体形状であり、正面に幅方向（図中左右方向）に沿って配置された複数の端子２２１（充電部）を備えている。端子２２１は、電源側の電線を電気的・機械的に接続する端子と、負荷側の電線を電気的・機械的に接続する端子とを含んで構成されている。
図２に示すように、単相二線式の電力量計２００Ａの端子台２２０Ａは４つの端子２２１を備え、幅方向中央部に１つのネジ穴２２３を備えている。図３に示すように、単相三線式の電力量計２００Ｂの端子台２２０Ｂは６つの端子２２１を備え、幅方向両端部に配置された２つのネジ穴２２３を備えている。電力量計２００Ｂの端子台２２０Ｂは、電力量計２００Ａの端子台２２０Ａよりも幅広である。夫々の端子台２２０の端子２２１に接続された電線は、端子台２２０の下方から突出する。
【００１５】
端子台カバー２３０は、端子台の前面、即ち充電部を覆う部材である。端子台カバー２３０は幅方向を長手方向とする正面視概略矩形、板状であり、カバーする端子台２２０のサイズに適合する大きさに形成されている。また、端子台カバー２３０には、端子台２２０のネジ穴２２３に対応する位置に挿通穴２３１が貫通形成されている。端子台カバー２３０は、鉄等の磁性材料から構成されている。なお、端子台カバー２３０Ａと端子台カバー２３０Ｂの高さ（上下方向長）は、ほぼ同一である。
【００１６】
締結ネジ２４０は、端子台カバー２３０に貫通形成された挿通穴内に挿通されると共に、端子台カバー２３０によって軸方向に進退可能且つ脱落不能に保持されている。締結ネジ２４０の頭部２４３は概略円柱状であり、頭部２４３にはマイナスドライバによる回転操作を可能とするすり割り溝が形成されている。また締結ネジ２４０の頭部２４３には、封印線を挿通する挿通穴が径方向に貫通形成されている。
【００１７】
〔端子台カバー取付治具〕
本発明の一実施形態に係る端子台カバー取付治具について説明する。図４は、端子台カバー取付治具を示す斜視図であり、（ａ）は前方から観察した図であり、（ｂ）は後方から観察した図である。図５（ａ）は調整部材を示す斜視図であり、（ｂ）は調整部材の使用状態を示す斜視図である。図６（ａ）、（ｂ）は、端子台カバーを支持した端子台カバー取付治具を示す斜視図である。図７は、端子台カバー、端子台カバー取付治具、及び電力量計の各部の位置関係を示す図である。図８は、調整部材の収納状態を示す背面図である。
【００１８】
本実施形態に係る端子台カバー取付治具は、締結ネジを、その姿勢を維持したまま直線的に進退させる点に特徴がある。
端子台カバー取付治具１は、電力量計２００の端子台２２０に対して端子台カバー２３０を着脱する際に使用される治具である。端子台カバー取付治具１は、端子台カバー２３０を所定位置に支持する端子台カバー支持部１０と、端子台カバー支持部１０により支持された端子台カバー２３０の挿通穴２３１と整合位置関係にあり、且つ締結ネジ２４０の全体を挿通可能な（通過させ得る）内径を備えたガイド穴２１（ガイド部）と、電力量計２００に対して位置決めされることによりネジ穴２２３に対するガイド穴２１、及び挿通穴２３１の位置関係を一直線状にする位置決定部材として機能する端子台カバー支持部１０及び仮固定磁石２３と、を備えている。
なお、以下の説明においては、端子台カバーの取り付け時に端子台と対面する側を前方（前側）、作業員と対面する側を後方（後側）として説明する。
端子台カバー取付治具を構成する各部の表面は、絶縁体から構成されている。
【００１９】
＜端子台カバー支持部＞
端子台カバー支持部１０は、端子台カバー２３０の底面（底部）を支持する底部支持部１１、底部支持部１１の幅方向両端部から立ち上がると共に端子台カバー２３０の２つの側面（側部）を支持する側方支持部１３、１３、及び、端子台カバー２３０の後面（後部）を保持する後方支持部１５を備えている。端子台カバー支持部１０は、端子台カバー２３０を、その上下方向位置及び幅方向位置を決定した状態にて支持する。
【００２０】
端子台カバー支持部１０の２つの側方支持部１３、１３は、端子台カバー２３０Ａを端子台２２０Ａに装着するときに、概略直方体形状の端子台２２０の幅方向両側面（幅方向両端部に位置する外側面）に夫々添設される。即ち、端子台カバー支持部１０は、保持した端子台カバー２３０Ａを端子台２２０Ａに対して幅方向に位置決めする位置決定部材として機能する。
端子台カバー支持部１０の底部支持部１１は、端子台カバー２３０Ａ、２３０Ｂを端子台２２０Ａ、２２０Ｂに夫々装着するときに、端子台２２０の底部（底面、外側面）に夫々添設される。従って、端子台カバー支持部１０は、保持した端子台カバー２３０Ａ、２３０Ｂを端子台２２０Ａ、２２０Ｂに対して上下方向に位置決めする位置決定部材としても機能する。なお、端子台２２０の下方からは電線が突出するため、端子台カバー支持部１０の底部支持部１１の前後方向長は端子台カバー２３０を端子台２２０に対して着脱するときに、電線と干渉しない長さに設定されている。
【００２１】
端子台カバー支持部１０は、磁性体によって形成される端子台カバー２３０を磁力により吸着する支持磁石１７（１７ａ、１７ｂ、１７ｃ：吸着支持部材）を備えている。支持磁石１７は、端子台カバー２３０の着脱作業時に端子台カバー２３０を脱落しないように支持可能であればよく、磁石の配置箇所、個数、及び強度等は任意に設定できる。本例に係る端子台カバー支持部１０は、後方支持部１５に配置された支持磁石１７ａ、１７ａと、底部支持部１１の幅方向中央部に配置された支持磁石１７ｂと、底部支持部１１の幅方向両端部に配置された支持磁石１７ｃ、１７ｃとを備える。支持磁石１７ａは端子台カバー２３０の前面を吸着し、支持磁石１７ｂ、１７ｃは端子台カバー２３０の底面を吸着する。
端子台カバー支持部１０はサイズの異なる端子台カバー２３０Ａ、２３０Ｂの双方を支持するため、端子台カバー支持部１０は少なくとも端子台カバー支持部１０内の幅方向の中間部に配置された支持磁石（支持磁石１７ａ、１７ｂ）を有する。
【００２２】
＜ベース板＞
端子台カバー支持部１０の後方には、ガイド穴２１、及び端子台カバー支持部１０を電力量計２００に対して仮固定する仮固定磁石２３（仮固定部材、位置決定部材）を備えたベース板２０が配置されている。ベース板２０は、端子台カバー支持部１０の底部支持部１１に対して壁状に立設されており、後方支持部１５を備える。
【００２３】
＜ガイド穴＞
ベース板２０には、幅方向に離間して配置された３つのガイド穴２１（２１Ａ、２１Ｂ、２１Ｂ）が前後方向に貫通形成されている。ガイド穴２１Ａは単相二線式の端子台カバー２３０Ａ用のガイド穴であり、ガイド穴２１Ｂは単相三線式の端子台カバー２３０Ｂ用のガイド穴である。ガイド穴２１は、端子台カバー支持部１０に保持された端子台カバー２３０の挿通穴２３１と整合する幅方向位置及び高さ位置に形成されている。
ガイド穴２１は、締結ネジ２４０の全体を挿通可能な内径を備えている。即ち、ガイド穴２１は、軸周りに回転しながら進退する締結ネジ２４０の頭部２４３を通過させ得る内径を有する。本例に示す頭部２４３は円柱形状であり、ガイド穴２１は頭部２４３の直径と略同等の内径を有し、且つ前後方向に伸びる丸穴である。ガイド穴２１は、締結ネジ２４０の頭部２４３と係合して、締結ネジ２４０を軸方向に沿って直線的に進退させるガイド手段として機能する。
【００２４】
図７に示すように、ガイド穴２１の前後方向長は、締結ネジ２４０の雄ネジ部２４１ａが端子台２２０のネジ穴２２３に螺着されていない状態にあるときには、ガイド穴２１と端子台カバー２３０の挿通穴２３１とによって締結ネジ２４０の軸方向の二箇所を支持しうる長さに設定されている。即ち、締結ネジ２４０の雄ネジ部２４１ａが端子台２２０のネジ穴２２３に螺着するまで、頭部２４３はガイド穴２１によって支持され、先端部に雄ネジ部２４１ａが形成された軸部２４１は端子台カバー２３０の挿通穴２３１によって支持される。従って、締結ネジ２４０は軸の向きがぶれることなく、直線的に進退することが可能である。
また、本例においては締結ネジ２４０の頭部をガイドする手段を丸穴としたので、締結ネジを締結又は締結解除する際には、ガイド穴２１をドライバの先端部を支持する手段として機能させることができる。
なお、締結ネジをガイドする手段としては、ベース板の前後方向に伸びる凹状の溝等としてもよい。
【００２５】
＜仮固定磁石＞
仮固定磁石２３はベース板２０の最上部に配置されている。仮固定磁石２３は、図７に示すように固定枠２０７の下面に磁力により吸着する。仮固定磁石２３は、電力量計２００Ａ、及び電力量計２００Ｂの夫々の固定枠２０７に対して端子台カバー取付治具１を仮固定する手段として兼用される。
仮固定磁石２３は固定枠２０７の下面に磁着したとき、端子台２２０に対する端子台カバー２３０の上下方向位置を整合させる。即ち、仮固定磁石２３は、端子台カバー支持部１０が支持する端子台カバー２３０を端子台２２０に対して上下方向に位置決めする位置決定部材として機能する。
仮固定磁石２３の配置や個数には特に制限はないが、本例に係る端子台カバー取付治具１においては、幅方向の中間部に、幅方向に離間して２つの仮固定磁石２３を配置している。複数の仮固定磁石２３を幅方向に離間して配置することによって、仮固定磁石２３を固定枠２０７の下面に磁着させた場合に端子台カバー支持部１０の幅方向における上下方向位置に差が生じないようにし、電力量計２００に対する端子台カバー２３０の傾きを防止してその姿勢を安定させることができる。
なお、端子台カバー取付治具１を電力量計２００に対して位置決めし、且つ仮固定することができれば、磁石以外の部材を仮固定手段として用いてもよい。また、電力量計２００に対して端子台カバー取付治具１を仮固定する部位も自由に設定することができる。例えば仮固定手段として、ガラスカバー２０５の下面に吸着する吸盤や粘着材等を採用できる。
【００２６】
＜把持用取手＞
図４（ｂ）に示すように、ベース板２０の後方には、作業員が把持する環状の把持用取手２５が突出形成されている。
また、把持用取手２５には、収納時にフック等に引っ掛けたり、運搬時に手を通して落下や紛失を防止するためのストラップ２７が装着されている。このストラップ２７は、把持用取手２５の穴内に挿通した線材の両端部をリング部材２９に挿通して一体化したものである。リング部材２９は線材の長手方向（矢印Ａ方向）に進退するように構成されており、リング部材２９を移動させることによってストラップ２７の姿勢を環状に、又は端部が分離した紐状に変位させることができる。
【００２７】
＜調整部材＞
図５（ａ）は調整部材を示す斜視図であり、（ｂ）は調整部材の使用状態を示す斜視図である。
端子台カバー取付治具１は、幅方向長の異なる複数の端子台カバー２３０Ａ、２３０Ｂに合わせて端子台カバー支持部１０における端子台カバーの受け容れ幅を調整する一対の調整部材４０、４０（調整手段）を備えている。
図５（ａ）に示すように、調整部材４０は正面視概略Ｌ字形状であり、端子台カバー支持部１０の底部支持部１１及び側方支持部１３に一時的に密着固定される概略直方体状の底部片４１と、底部片４１から屈曲形成された側部片４３とを備える。
底部片４１には底部支持部１１の幅方向両端部に配置された支持磁石１７ｃと吸着する磁石が埋設されており、底部片４１は磁石と支持磁石１７ｃとにより正しい位置及び姿勢にて密着固定される。なお、底部片４１には磁石の代わりに支持磁石１７ｃに吸着する磁性体を埋設してもよい。逆に、端子台カバー支持部１０に磁性体を埋設し、調整部材４０に磁石を埋設した構成としてもよい。
【００２８】
図５（ｂ）に示すように、端子台カバー支持部１０内に端子台カバー２３０Ａを保持する場合には、２つの調整部材４０、４０を夫々端子台カバー支持部１０の幅方向の各端部に配置する。このとき、側部片４３が幅方向中央寄りに位置するように配置する。そして、２つの調整部材４０、４０の側部片４３、４３間に端子台カバー２３０Ａを挿入する。端子台カバー２３０Ａの幅方向両端は側部片４３、４３に夫々添設される。また、端子台カバー２３０Ａは、支持磁石１７ａ、１７ｂに吸着され、端子台カバー２３０Ａは端子台カバー支持部１０に位置決めされた状態にて支持される。
調整部材４０の側部片４３は、端子台カバー２３０Ａを端子台２２０Ａに装着するときに、端子台２２０Ａの幅方向両側面（外側面）に夫々添設される。即ち、調整部材４０は、端子台カバー支持部１０内に保持した端子台カバー２３０Ａを端子台２２０Ａに対して幅方向に位置決めする位置決定部材として機能する。
このように側部片４３は、側方支持部１３と同様に機能する。
【００２９】
図８に示すように、端子台カバー取付治具１は、２つの調整部材４０、４０の夫々を非使用時に収納する収納部４５を備えている。収納部４５は、端子台カバー２３０Ａの着脱作業を阻害しない位置であれば、何れの位置に配置されてもよい。本例において収納部４５は、端子台カバー支持部１０に対して幅方向の各端部下方に配置されている。収納部４５には、調整部材４０収納用の磁石が配置されており、調整部材４０を容易には脱落しないように吸着する。本例においては支持磁石１７ｃが収納用の磁石として機能する。端子台カバー２３０Ａの着脱時に調整部材４０、４０を収納部４５に収納しておくことにより、調整部材４０、４０の紛失を防止できる。
【００３０】
ここで、本例に示す２つの調整部材４０は互いに同一の形状（又は幅方向に対称の形状）としているが、２つの調整部材４０、４０は互いに異なる形状（又は幅方向に非対称の形状）としてもよい。この場合、端子台カバー支持部１０及び夫々の調整部材４０、４０に内蔵する磁石の姿勢及び磁極の位置を適宜設定することにより、一方の調整部材が端子台カバー支持部１０の幅方向一端部にのみ正しい姿勢で吸着し、幅方向他端部には正しい姿勢では吸着しえないようにすることができる。このようにすることで、調整部材の配置を誤らないようにすることができる。
また、端子台カバー取付治具１に備える調整部材４０を１つとし、調整部材４０を幅方向一端部にのみ配置する構成としてもよい。
【００３１】
＜ライト＞
端子台カバー取付治具１は、ガイド穴２１Ａ、２１Ｂを照明するライト５０（５０ａ、５０ｂ：照明部材）を備えている。図９は、ライトの斜視図である。夫々のライト５０は、ＬＥＤ等の発光体５１と、発光体５１を点灯又は消灯させるスイッチ５３と、電池等を備えている。また、ライト５０はベース板２０の前部に着脱可能であり、ライト５０は、磁石５５と、着脱時に作業員が把持する摘み部５７とを備えている。
図４（ｂ）に示すように、磁石５５を仮固定磁石２３の下方に吸着させたとき、ライト５０は、ガイド穴２１を照明する。従って、暗所や夜間における端子台カバー２３０の着脱作業時において作業性を向上できる。また、仮固定磁石２３の下方に吸着させるときのライト５０の姿勢、具体的には発光体５１の向きを適宜設定することによって、ライト５０によってガイド穴２１Ａ、２１Ｂの何れかを照明することができる。即ち、ライト５０は、ガイド穴２１Ａを照明する第一の姿勢と、ガイド穴２１Ｂを照明する第二の姿勢との間で姿勢変位することができる。
【００３２】
また、ライト５０は、着脱用の磁石５５を備えているので、磁石５５以外にも磁性体から構成される固定枠２０７の適所に磁着させて使用することができる。ライト５０を用いて端子台２２０を照明することもでき、端子台２２０に対する電線の電気的な接続又は切断作業の作業性の向上を図ることができる。
なお、ベース板２０にライト５０を保持させる方法としては、ライトをベース板に磁着させる方式の他、ライトを挟持するクリップをベース板に突出形成し、クリップにライトを挟持させる等の方法を採用してもよい。
【００３３】
以上説明した端子台カバー取付治具１を構成する各部材の表面には、電源を必要とせずに発光する蓄光材による加工（蓄光材の塗装やシールの貼付等）が施されていることが望ましい。各部材の表面を発光させることにより、暗所や夜間において各部材を視認し易くなる。
【００３４】
＜使用方法＞
本実施形態に係る端子台カバー取付治具１の使用方法について説明する。
まず、端子台２２０から端子台カバー２３０を取り外す手順について説明する。
作業前の事前準備として、端子台カバー取付治具１を単相三線式の電力量計２００Ｂの端子台カバー２３０Ｂの着脱に使用する場合は、図４（ａ）に示すように端子台カバー支持部１０から調整部材４０、４０を取り除いた状態としておく。一方、端子台カバー取付治具１を単相二線式の電力量計２００Ａの端子台カバー２３０Ａの着脱に使用する場合は、図５に示すように予め端子台カバー支持部１０の各端部に調整部材４０、４０を配置し、端子台カバー支持部１０の幅方向長を調整しておく。
【００３５】
この状態にて、端子台カバー取付治具１を電力量計２００に位置決めする（図７参照）。即ち、作業員は把持用取手２５を把持し、端子台カバー支持部１０の２つの側方支持部１３、１３（又は側部片４３、４３）を端子台２２０の幅方向両側面に夫々添設させると共に、仮固定磁石２３を固定枠２０７の下面に吸着させる。すると、端子台カバー支持部１０に設けられた夫々の支持磁石１７が端子台カバー２３０に吸着し、端子台カバー２３０が端子台カバー支持部１０に位置決めされる。これにより、ネジ穴２２３及びネジ穴２２３に螺着する締結ネジ２４０に対して、ガイド穴２１と挿通穴２３１が一直線状に配置される。
作業員は、ガイド穴２１内にドライバを挿入し、締結ネジ２４０を緩めてネジ穴２２３と雄ネジ部２４１ａの螺合を解除する。このとき、仮固定磁石２３が固定枠２０７の下面に吸着しているので、端子台カバー取付治具１は電力量計２００から脱落することなく支持されている。従って、作業員は端子台カバー取付治具１と端子台カバー２３０の双方を支える必要がなく、ドライバを両手で操作できる。
【００３６】
図７に示すように、締結ネジ２４０の雄ネジ部２４１ａがネジ穴２２３から離脱したとき、軸部２４１は挿通穴２３１によって支持され、且つ頭部２４３はガイド穴２１によって支持されているので、締結ネジ２４０は締結時の姿勢を維持したまま、その軸方向に沿って直線的に進退する。従って、締結ネジ２４０が端子台２２０の端子２２１に接触することを防止できる。端子台カバー２３０は支持磁石１７に吸着されているため、端子台カバー２３０を端子台２２０から取り外したとしても端子台カバー２３０は端子台カバー支持部１０によって脱落することなく支持される。
締結ネジ２４０の雄ネジ部２４１ａがネジ穴２２３から離脱した後、端子台カバー取付治具１の仮固定磁石２３を固定枠２０７から取り外すと、端子台カバー２３０は端子台カバー取付治具１に吸着された状態にて、端子台２２０から取り外される。
【００３７】
以上のようにして取り外された端子台カバー２３０を端子台２２０に装着する手順について説明する。前提として、必要に応じて調整部材４０、４０が用いられ、端子台カバー２３０が端子台カバー支持部１０に位置決めされた状態にて、夫々の支持磁石１７に吸着、支持されているものとする。
まず、端子台カバー２３０を保持する端子台カバー取付治具１を端子台２２０に対して位置決めする。即ち、端子台カバー支持部１０の２つの側方支持部１３、１３（又は側部片４３、４３）を端子台２２０の幅方向両側面に夫々添設させると共に、仮固定磁石２３を固定枠２０７の下面に吸着させる。これにより、図７に示すようにネジ穴２２３に対して、ガイド穴２１と挿通穴２３１が一直線状に配置される。
【００３８】
作業員は、締結ネジ２４０の雄ネジ部２４１ａをネジ穴２２３に螺合させる。少なくとも雄ネジ部２４１ａがネジ穴２２３に螺着されるまで、軸部２４１は挿通穴２３１によって支持され、且つ頭部２４３はガイド穴２１によって支持されるので、締結ネジ２４０は姿勢を維持したままその軸方向に沿って直線的に進退する。従って、締結ネジ２４０が端子台２２０の端子２２１に接触することを防止できる。締結ネジ２４０の雄ネジ部２４１ａの全体がネジ穴２２３に螺合した後、作業員は把持用取手２５を把持して、端子台カバー取付治具１を電力量計２００から取り外すことにより、端子台カバー２３０の着脱に係る一連の作業を安全に実施することができる。
【００３９】
＜調整手段の変形例１＞
図５に示した調整部材４０は端子台カバー支持部１０に対して着脱自在に構成されているが、端子台カバーの受け容れ幅を調整する調整手段は端子台カバー支持部１０に一体化された構成であってもよい。
図１０は、端子台カバー支持部における端子台カバーの受け容れ幅を調整する調整手段の変形例を示す斜視図である。
端子台カバーの受け容れ幅を調整する調整機構６０（調整手段、位置決定部材）は、端子台カバー２３０Ａ、２３０Ｂの夫々の側部に添設される可動側方支持片６１と、ベース板２０に貫通形成されて可動側方支持片６１を幅方向に進退するようにガイドするガイド長穴６３と、可動側方支持片６１をベース板２０に対して固定する固定ネジ６５とを備えている。
【００４０】
可動側方支持片６１のベース板２０との対向面には、ネジ穴が形成されており、可動側方支持片６１はガイド長穴６３を介してネジ穴に螺着される固定ネジ６５により、ベース板２０に対して幅方向位置を固定される。
端子台カバー取付治具２の幅方向端部（図中左方）寄りに位置するガイド長穴６３の幅方向一端部６３ａは、端子台カバー２３０Ｂを端子台カバー支持部１０内に位置決め可能となる位置に、可動側方支持片６１を位置決めするストッパとして機能する。また、端子台カバー取付治具２の幅方向中間部寄りに位置するガイド長穴６３の幅方向他端部６３ｂは、端子台カバー２３０Ａを端子台カバー支持部１０内に位置決め可能となる位置に、可動側方支持片６１を位置決めするストッパとして機能する。
図５に示した調整部材４０を用いる場合と異なり、可動側方支持片６１を端子台カバー取付治具２に一体化させているので、可動側方支持片６１の紛失を防止することができる。
【００４１】
＜調整手段の変形例２＞
上述の端子台カバー取付治具は、端子台カバー支持部１０に受け容れた端子台カバーと仮固定磁石２３との高さ方向における位置関係、即ち、電力量計２００の固定枠２０７の下面と端子台２２０の上下位置に合わせて端子台カバーの支持位置を高さ方向に調整する高さ調整手段（高さ調整部材）を備えてもよい。
高さ調整部材は、例えば端子台カバー支持部１０の底部支持部１１に載置される所定厚の板状の部材とすることができる。高さ調整部材は、支持磁石１７ｂ、１７ｃと吸着し、且つ、端子台カバー２３０の底部（底面）を高さ調整部材の上面に吸着させる磁石を備えることが望ましい。
上記高さ調整部材は、図５に示した調整部材４０、４０と一体化した構成としてもよく、この場合も、端子台カバー２３０の着脱作業を阻害しない位置に調整部材を収納する収納部を設けることによって、調整部材の紛失を防止できる。
【００４２】
〔本発明の実施態様例と作用、効果のまとめ〕
＜第一の実施態様＞
本態様に係る端子台カバー取付治具１は、電力量計２００の端子台２２０に対して端子台カバー２３０を着脱するための治具である。
電力量計２００は、電力量計本体２０１、電力量計本体の下方に配置されると共にネジ穴２２３を備えた端子台２２０、端子台の前面を覆うと共に挿通穴２３１を備えた端子台カバー２３０、及び挿通穴に挿通されて挿通穴を介してネジ穴に螺着される雄ネジ部２４１ａを有した締結ネジ２４０を備えている。
端子台カバー取付治具１は、端子台カバーを所定位置に支持する端子台カバー支持部１０と、端子台カバー支持部により支持された端子台カバーの挿通穴と整合位置関係にあり、且つ締結ネジの全体を通過させ得る内径を備えたガイド部（ガイド穴２１）と、電力量計に対して位置決めされることによりネジ穴に対するガイド部、及び挿通穴の位置関係を一直線状にする位置決定部材（端子台カバー支持部１０、仮固定磁石２３）と、を備えたことを特徴とする。
【００４３】
本態様において端子台カバー支持部は、端子台カバーを端子台カバー支持部内に位置決めしつつ支持する。端子台カバー支持部が端子台カバーを支持したとき、端子台カバー取付治具のガイド部と端子台カバーの挿通穴とは、整合する位置関係、即ち連通する位置関係となる。
また、端子台カバー取付治具は、自身を電力量計に対して位置決めすることにより、支持した端子台カバーを端子台に対して位置決めする位置決定手段を備える。位置決定手段として機能する部材としては、端子台カバー支持部１０や仮固定磁石２３を備えることができる。端子台カバー支持部の底部支持部１１は端子台の底面に添設されることにより上下方向における位置を決定し、側方支持部１３、１３は端子台の幅方向両側面に添設されることにより幅方向における位置を決定する。また、仮固定磁石は固定枠２０７の下面に吸着することにより上下方向における位置を決定する。
本態様に係る端子台カバー取付治具においては、端子台カバーが端子台に対して位置決めされたとき、端子台のネジ穴に対して、端子台カバー取付治具のガイド部と、端子台カバーの挿通穴とが一直線状に並ぶように構成されている。従って、本態様においては、締結ネジの締結時又は締結解除時には、ガイド部と挿通穴とによって締結ネジの少なくとも軸方向の２点を支持するので、締結ネジの姿勢を維持したまま直線的に進退させることができる。
本態様によれば、締結ネジと端子との接触を防止し、短絡を効果的に防止することができる。
【００４４】
＜第二の実施態様＞
本態様に係る端子台カバー取付治具１において、端子台カバー支持部１０は、端子台２２０の外側面に添設されることにより電力量計２００に対して位置決めされる位置決定部材として機能することを特徴とする。
本態様によれば、締結ネジと端子との接触を防止し、短絡を効果的に防止することができる。
【００４５】
＜第三の実施態様＞
本態様に係る端子台カバー取付治具１は、電力量計２００の適所に対して仮固定される仮固定部材（仮固定磁石２３）を備えていることを特徴とする。
仮固定部材としては、電力量計本体２０１が備える固定枠２０７の下面に吸着する磁石（仮固定磁石２３）を用いることができる。ここで、電力量計本体２０１は、メーター２０２を支持する電力量計ベース２０３と、メーターを覆う透明カバー２０５とを備えており、固定枠２０７は透明カバーを電力量計ベースに対して固定する手段である。固定枠は透明カバーの外周部を包囲する磁性を有した環状の部材である。
なお、仮固定部材は電力量計に対して端子台カバー取付治具を一時的に固定することができればよく、仮固定部材による固定方法や位置等はある程度自由に設定することができる。ただし、仮固定部材は、端子台カバー取付治具を電力量計に対して位置決めした状態にて、端子台カバー取付治具を電力量計に対して一時的に固定する手段である必要がある。
本態様によれば、仮固定部材により、端子台カバー取付治具を電力量計に支持させるので、端子台カバーの着脱作業時に、作業員が端子台カバー取付治具と端子台カバーの双方を支える必要がなく、ドライバ等の工具の操作が容易となる。
【００４６】
＜第四の実施態様＞
本態様に係る端子台カバー取付治具１において、端子台カバー支持部１０は、端子台カバー２３０を吸着、支持する吸着支持部材（支持磁石１７）を備えていることを特徴とする。
吸着支持部材が端子台カバーを吸着するので、端子台カバーは端子台カバー支持部に位置決めされた状態を維持できる。また、端子台カバーは端子台２２０から取り外されても吸着支持部材に吸着されているので、端子台カバー支持部から脱落しない。
【００４７】
＜第五の実施態様＞
本態様に係る端子台カバー取付治具１、２において、幅方向長の異なる複数の端子台カバー２３０Ａ、２３０Ｂに合わせて端子台カバー支持部１０における端子台カバーの受け容れ幅を調整する調整手段（調整部材４０、調整機構６０）と、各端子台カバーに整合する複数のガイド部（ガイド穴２１Ａ、２１Ｂ）と、を備えていることを特徴とする。
電力量計には、例えば単相二線式の電力量計２００Ａと単相三線式の電力量計２００Ｂとがある。両者は接続される電線の数が異なるので、互いに端子台の幅方向長と端子台カバーの幅方向長が異なる。
本態様によれば、調整手段により端子台カバーの受け容れ幅を調整するので、一つの端子台カバー取付治具で複数種類の電力量計に対応することができる。
【００４８】
＜第六の実施態様＞
本態様に係る端子台カバー取付治具１は、ガイド部（ガイド穴２１）を照明する照明部材（ライト５０）を備えたことを特徴とする。
本態様によれば、暗所や夜間における端子台カバー２３０の着脱作業時において作業性を向上できる。
【符号の説明】
【００４９】
１、２…端子台カバー取付治具、１０…端子台カバー支持部（位置決定部材）、１１…底部支持部、１３…側方支持部、１５…後方支持部、１７ａ〜１７ｃ…支持磁石（吸着支持部材）、２０…ベース板、２１、２１Ａ、２１Ｂ…ガイド穴（ガイド部）、２３…仮固定磁石（仮固定部材、位置決定部材）、２５…把持用取手、２７…ストラップ、２９…リング部材、４０…調整部材（調整手段、位置決定部材）、４１…底部片、４３…側部片、４５…収納部、５０…ライト（照明部材）、５１…発光体、５３…スイッチ、５５…磁石、５７…摘み部、６０…調整機構（調整手段、位置決定部材）、６１…可動側方支持片、６３…ガイド長穴、６３ａ…幅方向一端部（ストッパ）、６３ｂ…幅方向他端部（ストッパ）、６５…固定ネジ、２００、２００Ａ、２００Ｂ…電力量計、２０１…電力量計本体、２０２…メーター、２０３…電力量計ベース、２０５…ガラスカバー（透明カバー）、２０７…固定枠、２２０、２２０Ａ、２２０Ｂ…端子台、２２１…端子、２２３…ネジ穴、２３０、２３０Ａ、２３０Ｂ…端子台カバー、２３１…挿通穴、２３３…切り起こし部、２４０…締結ネジ、２４１…軸部、２４１ａ…雄ネジ部、２４３…頭部
【図１】
0006701752.tif 000002
【図２】
0006701752.tif 000003
【図３】
0006701752.tif 000004
【図４】
0006701752.tif 000005
【図５】
0006701752.tif 000006
【図６】
0006701752.tif 000007
【図７】
0006701752.tif 000008
【図８】
0006701752.tif 000009
【図９】
0006701752.tif 000010
【図１０】
0006701752.tif 000011